(57)【特許請求の範囲】
【請求項１】
ＩＳＤＮ外線を複数回線接続する主装置に接続され、ＣＰＵ、主装置インタフェース、電話機部等を具備する停電機能付ボタン電話機において、
前記主装置の通電を検知する通電検知手段と、局の通話状態を確認する局状態確認手段と、前記局状態確認手段が主装置の停電時に局の通話状態を確認して局からの中断状態通知を受けたときに、通話再開を局に要求する通話再開要求手段とを備えることを特徴とする停電機能付ボタン電話機。
【請求項２】
請求項１記載の停電機能付ボタン電話機において、
主装置からの活性化要求を受取る活性化要求受取手段を備えることを特徴とする停電機能付ボタン電話機。
【請求項３】
請求項１又は２に記載の停電機能付ボタン電話機において、
主装置からの活性化要求を受けて活性化する活性化手段を備えることを特徴とする停電機能付ボタン電話機。
【請求項４】
請求項１〜３のいずれか１項に記載の停電機能付ボタン電話機において、
留守番機能を備えることを特徴とする停電機能付ボタン電話機。
【発明の詳細な説明】
【０００１】
【発明の属する技術分野】
本発明は、停電機能付ボタン電話機であり、特に、主装置のＡＣ電源が通電状態のときのＩＳＤＮ外線の通話を、通話中に停電しても瞬断するだけでそのまま通話を保持することができ、また、停電状態のときのＩＳＤＮ外線通話を、通話中に復電してもそのまま通話を保持することができる停電機能付ボタン電話機に関する。
【０００２】
【従来の技術】
電話機は、音声通信のために不特定多数の人が直接使用する通信機器で、音声を伝送するための電気音響変換と防側音の機能及び交換機との間で選択信号、呼出し信号などを授受する機能を有している。そして、電話機の１つとして、ボタン電話機が知られている。ボタン電話機は、複数のＩＳＤＮ電話回線を収容し、それらの回線を内線電話機で共同利用することと、内線電話機間の相互通話を可能としたものである。したがって、回線の利用コストを低減できるほか、いずれの内線電話機でも局線を補足できるので、代理応答ができる。
【０００３】
ホームテレホンやビジネスホンのようなシステム形電話装置、あるいはボタン電話装置は、任意の電話機から任意の局線に対しての発着信や通話中の局線の保留、他の電話機への通話の転送などの機能により、１乃至複数の局線を複数の電話機で効率的に使用することを可能とした装置である。
【０００４】
システム形電話装置の制御方式としては、制御信号をディジタル化し、マイクロプロセッサで処理する方式が採用されている。配線方式には、同一のケーブル上に複数の電話機を接続するバス形と主装置から各電話機へ個別に配線するスター形等がある。
【０００５】
ボタン電話機が使用されるバス形システムの一例を説明する。バス形システムは、図３に示すように、主装置１１、パソコン１２、標準電話機１３、留守番機能及び停電機能付電話機１４、デジタルコードレス電話子機１５、カラーＬＣＤ（液晶ディスプレイ）表示付留守番電話機１６、ＦＡＸ（ファクシミリ）装置１７等及びバス１８からなる。パソコン１２はパソコンアダプタ１２１を介して接続される。デジタルコードレス電話子機１５はデジタルコードレスホン接続装置１５１を介して接続される。カラーＬＣＤ表示付留守番電話機１６は、映像線１６１を使用し、ＴＶアダプタ１６２を介して接続されるとともに、カラーカメラドアホン１６３を接続することができる。ＦＡＸ装置１７は電話機アダプタ１７１を介して接続される。バス１８は、主装置１１と、パソコン１２、標準電話機１３、留守番機能及び停電機能付電話機１４、デジタルコードレス電話子機１５、カラーＬＣＤ表示付留守番電話機１６、ＦＡＸ装置１７等とを接続している。
【０００６】
一方、近年構築されているサービス総合ディジタル網であるＩＳＤＮ（ｉｎｔｅｇｒａｔｅｄ  ｓｅｒｖｉｃｅｓ  ｄｉｇｉｔａｌ  ｎｅｔｗｏｒｋ）が整備させている。このＩＳＤＮでは、音声は６４ｋｂｉｔ／ｓディジタル符号として全２重伝送され、交換機との間での信号授受用のチャネルが音声伝送用のチャネルと独立に設けられている。この通信網に適用するディジタル電話機では、通話系にコーデック（ＣＯＤＥＣ）が必要となるが、加入者線路が論理的に４線系で形成されるため、防側音回路は不要になり、側音も通話品質からみて適切な値に設定できるようになっている。
【０００７】
電話端末における発・着信、通話の電話基本機能は、停電時も使用できるよう局から供給される電力で動作可能なように設計されているが、従来のＩＳＤＮ用ボタン電話機が接続される主装置２０は、停電時に局に対して中断を通知し、そして、局からのＡＣＫ（アック、肯定応答）を受けても、その後、局に応答できないため、局から通話を切断されてしまう問題点が有った。また、主装置２０が停電状態のときにＩＳＤＮ外線との通話中に、復電すると、主装置２０からの活性化要求に、従来の電話機は対応することができないため、通話が切断されてしまう問題が生じた。なお、従来のＩＳＤＮ用ボタン電話機３０は、図４に示すように、ＣＰＵ（中央処理装置）３１、主装置インタフェース３２、電話機部３３等を具備していた。ＣＰＵ３１は、ボタン電話機３０全体の動作を制御する。主装置インタフェース３２は、ボタン電話機３０と主装置２０とを接続する。電話機部３３は、ボタン電話機３０の通話等を実行する。しかしながら、従来のＩＳＤＮ用ボタン電話機３０は、主装置２０が停電になると、主装置２０の機能が停止するため、主装置２０経由の着信や発信を実行することができなかった。
【０００８】
【発明が解決しようとする課題】
本発明は、このような問題点を解決するものであり、主装置が停電時に局に中断を通知したときに、ＩＳＤＮ外線との通話を瞬断するだけでそのまま通話を保持することができ、また、停電状態で使用しているＩＳＤＮ外線通話を、復電してもそのまま通話を保持することができる停電機能付ボタン電話機を提供するものである。
【０００９】
【課題を解決するための手段】
本発明は、ＩＳＤＮ外線を複数回線接続する主装置に接続され、ＣＰＵ、主装置インタフェース、電話機部等を具備する停電機能付ボタン電話機において、前記主装置の通電を検知する通電検知手段と、局の通話状態を確認する局状態確認手段と、前記局状態確認手段が主装置の停電時に局の通話状態を確認して局からの中断状態通知を受けたときに、通話再開を局に要求する通話再開要求手段とを備える停電機能付ボタン電話機である。
【００１３】
また、本発明は、主装置からの活性化要求を受取る活性化要求受取手段を備える停電機能付ボタン電話機である。
【００１４】
そして、本発明は、主装置からの活性化要求を受けて活性化する活性化手段を備える停電機能付ボタン電話機である。
【００１５】
更に、本発明は、留守番機能を備える停電機能付ボタン電話機である。
【００１６】
【発明の実施の形態】
本発明の発明の実施の形態を説明する。
本発明の停電機能付電話機の一実施例を、図１〜図３を用いて説明する。図１は、実施例の停電機能付ボタン電話機の説明図である。図２は、実施例の停電機能付ボタン電話機の通話時等の動作説明図である。図３は、停電機能付ボタン電話機が使用されるシステムの一例の説明図である。
【００１７】
まず、本発明の停電機能付ボタン電話機が使用されるバス形システムの一例を説明する。このバス形システムは、図３に示すように、従来例と同様であり、主装置１１と、パソコン１２と、標準電話機１３と、留守番機能及び停電機能付電話機１４と、デジタルコードレス電話子機１５と、カラーＬＣＤ表示付留守番電話機１６と、ＦＡＸ装置１７等及びバス１８を有している。主装置１１は、パソコン１２、標準電話機１３、留守番機能及び停電機能付電話機１４、デジタルコードレス電話子機１５、カラーＬＣＤ表示付留守番電話機１６、ＦＡＸ装置１７等とはバス１８で接続されている。パソコン１２はパソコンアダプタ１３を介してバス１８に接続される。デジタルコードレス電話子機１５はデジタルコードレスホン接続装置１５１を介してバス１８に接続される。カラーＬＣＤ表示付留守番電話機１６は、映像線１６１を使用し、ＴＶアダプタ１６２を介してバス１８に接続されるとともに、カラーカメラドアホン１６３を接続することができる。ＦＡＸ装置１７は電話機アダプタ１７１を介してバス１８に接続される。
【００１８】
次に、実施例を説明する。本実施例の停電機能付ボタン電話機３０は、図１に示すように、ＩＳＤＮ外線を複数回線接続する主装置２０に接続され、ＣＰＵ３１、主装置インタフェース３２、電話機部３３等を具備しており、更に、ＩＳＤＮインタフェース３４、通話再開要求手段３５と、局状態確認手段３６と、通電検知手段３７と、活性化要求受取手段３８と、活性化手段３９とを備えている。ＣＰＵ３１、主装置インタフェース３２、電話機部３３等は、従来例と同様である。しかし、本実施例の停電機能付ボタン電話機におけるＩＳＤＮインタフェース３４は、主装置の停電時に、停電機能付電話機３０と局とを接続する。通話再開要求手段３５は、局から通話状態中断通知を受け、通話再開を局に要求する。局状態確認手段３６は、局の通話状態を確認する。通電検知手段３７は、主装置２０の通電を検知する。活性化要求受取手段３８は、主装置２０からの活性化要求を受取る。活性化手段３９は、主装置２０からの活性化要求を受けて活性化する。
【００１９】
（１）本実施例の停電機能付ボタン電話機３０について、受信通話時に主装置２０が停電したときの動作を、図２を用いて説明する。
１ａ）ボタン電話機３０は、発呼者からの呼出しを受信し、主装置２０、局は「通話状態」となる。
１ｂ）主装置２０が停電となり、主装置２０は局に対して「中断通知」を通知する。
１ｃ）局は、「中断通知」を受け、「ＡＣＫ」を主装置２０に通知する。その際、０．５秒間電圧を保持している。
１ｄ）ボタン電話機は、０．５秒以内に、主装置２０の停電を通電検知手段３６により検知し、そして、局に対して、局状態確認手段３５により「局状態確認要求」を通知する。
１ｅ）局は、「局状態確認要求」に対して「中断状態通知」を通知する。
１ｆ）ボタン電話機３０は、「中断状態通知」を受信し、そして、局に対して、通話再開要求手段３４により「再開要求」を要求する。
１ｇ）局は、「再開要求」を受けて、「中断状態」を「通話状態」に変更し、それにより、発呼者、局及びボタン電話機は、「通話状態」になる。
【００２０】
（２）次に、主装置が停電状態で外線通話し、主装置の停電が復旧したときを図２を用いて説明する。
２ａ）ボタン電話機３０は、主装置２０、局の「通話状態」で、発呼者と通話中である。
２ｂ）主装置２０の停電が復旧し、主装置２０はボタン電話機３０に対して、「活性化要求」を要求する。
２ｃ）主装置２０は、一定時間毎に、ボタン電話機３０に対して、「活性化要求」を要求する。
２ｄ）発呼者、局、主装置２０及びボタン電話機３０は、「通話状態」となる。
【００２１】
（３）上記（１）又は（２）において、即ち、主装置２０が停電時又は通電時に通話状態を、ボタン電話機３０から切断するときを、図２を用いて説明する。
３ａ）ボタン電話機３０は、局に対して、「切断要求」を通知する。
３ｂ）局は、「切断要求」を受けて、発呼者に対して「切断通知」を通知し、ボタン電話機３０に対しては、「開放要求」を通知する。
３ｃ）発呼者は、「切断通知」を受けて、局に対して、「開放完了通知」を通知する。
３ｄ）ボタン電話機３０は、局に対して「開放完了通知」を通知する。
３ｅ）主装置２０は、ボタン電話機３０に対して、「活性化要求」を要求する。
３ｆ）ボタン電話機３０は、活性化要求受取手段３７により、「活性化要求」を受け、そして、活性化手段３８により、活性化し、更に、主装置２０に「活性化」を通知し、発呼者、局、主装置２０及びボタン電話機３０は、「通話待機状態」になる。
【００２２】
以上のように、本実施例によれば、通話再開要求手段３５を備えているので、主装置２０が停電時になって局に中断を通知したときに、ＩＳＤＮ外線の通話を瞬断するだけでそのまま通話を保持することができる。その際、局状態確認手段３６や通電検知手段３７を備えていれば、局の中断状態を検知することができる。また、停電状態のときのＩＳＤＮ外線通話を通話中に復電しても、主装置２０からの活性化要求を受けて活性化する活性化手段３９を備えているため、そのまま通話を保持することができる。
【００２３】
【発明の効果】
本発明によれば、主装置が停電時になって局に中断を通知したときに、ＩＳＤＮ外線の通話を瞬断するだけでそのまま通話を保持することができ、また、停電状態のときのＩＳＤＮ外線通話を、通話中に復電してもそのまま通話を保持することができる停電機能付ボタン電話機を得ることができる。
【図面の簡単な説明】
【図１】実施例のボタン電話機の説明図。
【図２】実施例のボタン電話機の通話時等の動作説明図。
【図３】実施例の停電機能付ボタン電話機が使用されるシステムの一例の説明図。
【図４】従来例のボタン電話機の説明図。
【符号の説明】
１１  主装置
１２  パソコン
１２１  パソコンアダプタ
１３  標準電話機
１４  留守番機能及び停電機能付電話機
１５  デジタルコードレス電話子機
１５１  デジタルコードレスホン接続装置
１６  カラーＬＣＤ表示付留守番電話機
１６１  映像線
１６２  ＴＶアダプタ
１６３  カラーカメラドアホン
１７  ＦＡＸ装置
１７１  電話機アダプタ
１８  バス、
２０  主装置、
３０  停電機能付ボタン電話機、
３１  ＣＰＵ
３２  主装置インタフェース
３３  電話機部
３４  ＩＳＤＮインタフェース
３５  通話再開要求手段
３６  局状態確認手段
３７  通電検知手段
３８  活性化要求受取手段
３９  活性化手段
【図１】
0003688893.tif 000002
【図２】
0003688893.tif 000003
【図３】
0003688893.tif 000004
【図４】
0003688893.tif 000005